(57)【要約】【課題】  クラッチ機構を設けずに、屋内外のシリンダー錠が連動可能となる施解錠装置を得る。【解決手段】  室内側に突出されるサムターン筒１１と、錠箱の入出力軸に連結されるコア軸１３と、サムターン筒１１の内部でコア軸１３と一体となって回動されタンブラーを外周から突出させるプラグ１５と、サムターン筒１１に回転自在かつ軸線方向に移動自在に内設されタンブラーに係合するとともに軸線方向一方の移動位置でサムターン筒１１に相対回転不能に係止する内筒１７と、コア軸１３に内設されコア軸１３と一体回転して凸部を介し内筒１７を軸線方向一方から軸線方向他方へ移動させる開閉脚１９と、プラグ１５の鍵穴に挿入され開閉脚１９を閉脚させて開閉脚１９と内筒１７との係合を解除する脱着サムターンキー２１とを設けた。【選択図】      図１
2006118211.tif 000002
【特許請求の範囲】
【請求項１】
扉の屋外側に設けられたシリンダー錠と錠箱を挟んで反対側の屋内側に設けられる施解錠装置であって、
少なくとも扉又は錠箱の一方に固定され室内側に突出されるサムターン筒と、
前記錠箱の入出力軸に相対回転不能に連結されるコア軸と、
略矩形状の鍵穴を有し前記サムターン筒の内部で該コア軸と一体となって回動自在に連結され付勢されたタンブラーを外周から突出させるプラグと、
前記サムターン筒に回転自在かつ軸線方向に移動自在に内設され該プラグの外周から突出した前記タンブラーに係合するとともに軸線方向一方の移動位置で前記サムターン筒に相対回転不能に係止する内筒と、
前記コア軸に内設され前記錠箱からの回転力によって該コア軸と一体回転されるとともに開脚状態において前記内筒に係合させた凸部を介し該内筒を軸線方向他方へ移動させ該内筒と前記サムターン筒との係止を解除する開閉脚と、
前記プラグの鍵穴に挿入されることで外周から突出させた前記タンブラーを非突出状態へ後退させるとともに前記開閉脚を閉脚させて該開閉脚と前記内筒との係合を解除する脱着サムターンキーと
を具備したことを特徴とする施解錠装置。
【請求項２】
前記脱着サムターンキーが、屋外側のシリンダー錠キーと同一であることを特徴とする請求項１記載の施解錠装置。
【発明の詳細な説明】
【技術分野】
【０００１】
本発明は、扉や引き戸等の開閉体に好適に用いられる施解錠装置に関し、さらに詳しくは、扉の屋外側に設けられたシリンダー錠と錠箱を挟んで反対側の屋内側に設けられる施解錠装置に関する。
【背景技術】
【０００２】
玄関扉には、一般的にシリンダー錠が屋外面に設けられ、このシリンダー錠に屋外側から合い鍵を挿入して回動することで、扉に内蔵された錠箱の施解錠機構を作動させ、扉からロックボルトを扉枠へと進退させて扉の施解錠を可能としている。その一方で、玄関扉の屋内面には、サムターンが設けられ、屋内側よりサムターンを摘んで回転操作することで、扉内の錠箱へ施解錠操作力を入力し、扉の施解錠を簡便に行えるようにしている。
【０００３】
ところが、近年、優美性や採光性を高めるなどの目的で設けられた扉の小窓や、確認用の覗き孔、或いは扉等に設けられた郵便受けから針金や棒状具を挿入してサムターンを回転し、扉を不正に解錠する所謂サムターン回し等の犯罪が多発している。
【０００４】
このような不正行為を防止して防犯性の向上を図るものとして扉の屋内外両面にシリンダー錠をそれぞれ設けた施解錠装置が提案されている。この施解錠装置では、錠箱に両シリンダー錠が機械的に連結され、いずれか一方のシリンダー錠の操作により、錠箱による施解錠が可能となっている。
【０００５】
そして、この種の施解錠装置による施解錠操作は、一般の施錠装置と同様、外出時及び帰宅時に、屋外側から合い鍵が差し込まれ、施解錠が行われる。一方、屋内側のシリンダー錠には、通常、合い鍵が取り付けられた状態となり、必要時、例えば就寝時や外出時にはこの合い鍵が取り外される。これにより、外出時には屋外側から施錠を行うことで、仮にガラス窓等が破壊された場合であっても、屋内側にサムターンが存在しないため、サムターン回しによる不正解錠が不能となる。また、就寝時においても、内側の合い鍵を回動し、扉を施錠状態とした後、屋内側の合い鍵（サムターン）を抜いておくことにより、ガラス窓等が破壊された場合であってもサムターンを回すことによる不正解錠が不能となった。
【発明の開示】
【発明が解決しようとする課題】
【０００６】
ところで、シリンダー錠は、複数のタンブラーを内蔵し、合い鍵を挿入することにより全てのタンブラーのシアーラインを直線上に一致させ、合い鍵挿入筒（以下、「プラグ」とも称す。）の回転を可能としている（つまり、施解錠を可能としている）。したがって、合い鍵を挿入しない状態では、タンブラーのシアーラインが一致せずにプラグの回転は不能となる。このため、単純に、屋内外のシリンダー錠におけるプラグが錠箱の入出力軸に直結された構造とすれば、いずれか一方の合い鍵が抜かれた状態では、当該シリンダー錠の回転不能となったプラグによって、他方のシリンダー錠も回転不能となってしまう。
このため、上記した従来の施解錠装置では、錠箱とシリンダー錠との間に、クラッチ機構を介在させることで、一方のシリンダー錠に合い鍵が挿入されていない状態であっても、クラッチ機構が作動して、一方のシリンダー錠の回転不能状態には拘束されず、他方のシリンダー錠が回転自在となり、扉の屋内外両面にシリンダー錠をそれぞれ設けた施解錠装置の場合でも施解錠操作が可能となるようになっていた。
しかしながら、このようなクラッチ機構を設けた構造では、屋内外に設けられた２つのシリンダー錠同士の連動がクラッチ機構によってキャンセルされるため、屋内外の両シリンダー錠が連動回転することがなかった。このため、例えば屋内側のシリンダー錠から合い鍵が抜かれた状態で、屋外側のシリンダー錠に差し込まれた合い鍵が回転されると、クラッチ機構によって屋内側のシリンダー錠へは回転が伝達されず、その結果、錠箱の施解錠状態が屋内側のシリンダー錠から判断できなくなり、操作性が悪い問題があった。また、クラッチ機構を設けた施解錠装置では、構造が複雑になるとともに、装置全体も大きくなり、さらには部品点数も増えて装置コストが増大した。さらに、クラッチ機構をシリンダー錠と錠箱との間に単に介在させた場合には、施解錠装置の軸線方向の長さが長くなる不利があった。
【０００７】
本発明は上記状況に鑑みてなされたもので、クラッチ機構を設けずに、合い鍵の抜かれた一方のシリンダー錠を他方のシリンダー錠の回動操作に連動させながら、錠箱の施解錠が可能となる施解錠装置を提供し、もって、コストの低減、操作性の向上、及び装置軸線方向の長さの短縮化を図ることを目的とする。
【課題を解決するための手段】
【０００８】
次に、上記の課題を解決するための手段を、実施の形態に対応する図面を参照して説明する。
本発明の請求項１記載の施解錠装置１００は、扉の屋外側に設けられたシリンダー錠と錠箱を挟んで反対側の屋内側に設けられる施解錠装置１００であって、
少なくとも扉又は錠箱の一方に固定され室内側に突出されるサムターン筒１１と、
前記錠箱の入出力軸に相対回転不能に連結されるコア軸１３と、
略矩形状の鍵穴４５を有し前記サムターン筒１１の内部で該コア軸１３と一体となって回動自在に連結され付勢されたタンブラー４７ａ〜４７ｃを外周から突出させるプラグ１５と、
前記サムターン筒１１に回転自在かつ軸線方向に移動自在に内設され該プラグ１５の外周から突出した前記タンブラー４７ａ〜４７ｃに係合するとともに軸線方向一方の移動位置で前記サムターン筒１１に相対回転不能に係止する内筒１７と、
前記コア軸１３に内設され前記錠箱からの回転力によって該コア軸１３と一体回転されるとともに開脚状態において前記内筒１７に係合させた凸部８１を介し該内筒１７を軸線方向他方へ移動させ該内筒１７と前記サムターン筒１１との係止を解除する開閉脚１９と、
前記プラグ１５の鍵穴４５に挿入されることで外周から突出させた前記タンブラー４７ａ〜４７ｃを非突出状態へ後退させるとともに前記開閉脚１９を閉脚させて該開閉脚１９と前記内筒１７との係合を解除する脱着サムターンキー２１と
を具備したことを特徴とする。
【０００９】
この施解錠装置１００では、例えば屋内側のシリンダーから脱着サムターンキー２１が抜かれ、屋外側のシリンダー錠に合い鍵が差し込まれた状態において、合い鍵が回転操作されると、この回転操作力が錠箱の入出力軸を介してコア軸１３に伝達される。コア軸１３が回転されると、開閉脚１９を介して内筒１７が軸線方向一方から他方へ移動され、内筒１７とサムターン筒１１との係止が解除される。これにより、コア軸１３、プラグ１５及び内筒１７が一体に回転可能な状態となる。したがって、屋外側のシリンダー錠は、屋内側の施解錠装置１００を従動させながら回転可能となる。なお、屋内側の施解錠装置１００からは、従来のサムターン操作によってなされていた錠箱内の機構による施解錠動作と同様に、屋外側のシリンダー錠から合い鍵が抜かれている状態においても、回動操作が可能となる。
【００１０】
請求項２記載の施解錠装置１００は、前記脱着サムターンキー２１が、屋外側のシリンダー錠キーと同一であることを特徴とする。
【００１１】
この施解錠装置１００では、通常時、屋内側の施解錠装置１００に脱着サムターンキー２１を装着しておき、例えば室内が不在となる外出時には、屋内側の施解錠装置１００から脱着サムターンキー２１を脱着して当該脱着サムターンキー２１にて屋外側のシリンダー錠を施錠して外出することが可能となる。つまり、一つの脱着サムターンキー２１が効率的に使用されて、施錠と同時に防犯性が確保される。
【発明の効果】
【００１２】
本発明に係る請求項１記載の施解錠装置によれば、脱着サムターンキーが抜かれている状態であっても、屋外側のシリンダー錠に合い鍵が差し込まれて回転操作されると、この回転操作力が錠箱の入出力軸を介してコア軸に伝達され、コア軸に一体となって開閉脚が回転することで、この開閉脚の凸部を介して内筒を軸線方向一方から他方へ移動させ内筒とサムターン筒との係止を解除する。したがって、屋内側の施解錠装置が屋外側のシリンダー錠に従動して回転可能となる。これにより、クラッチ機構を設けずに、合い鍵の抜かれた施解錠装置を屋外側のシリンダー錠の回動操作に連動させながら、錠箱の施解錠を可能にできる。この結果、施解錠装置のコスト低減と、操作性の向上、及び装置軸線方向の長さの短縮化を同時に達成することができる。
【００１３】
請求項２記載の施解錠装置によれば、脱着サムターンキーを、屋外側のシリンダー錠キーと同一としたので、１つの合鍵で施錠と同時に防犯性が確保されるようになり、操作性を向上させることができる。
【発明を実施するための最良の形態】
【００１４】
以下、本発明に係る施解錠装置の好適な実施の形態を図面を参照して詳細に説明する。
図１は本発明に係る施解錠装置のキー有り状態の縦断面視を（ａ）、横断面視を（ｂ）に表した構成図、図２は本発明に係る施解錠装置のキー無し状態の縦断面視を（ａ）、正面視を（ｂ）に表した構成図、図３は本発明に係る施解錠装置の分解縦断面図、図４は本発明に係る施解錠装置の分解横断面図、図５はサムターン筒、内筒、プラグ及びその近傍の分解斜視図、図６はコア軸、開閉脚及びその近傍の分解斜視図である。
【００１５】
本実施の形態に係る施解錠装置１００は、扉の屋外側に設けられたシリンダー錠と錠箱を挟んで反対側の屋内側に設けられる。すなわち、施解錠装置１００は、屋内側シリンダー錠と称することもできる。また、本発明に係る施解錠装置は、本実施の形態とは逆側、すなわち、屋外側に設けられてもよい。この場合屋内側には通常のシリンダー錠が設けられればよい。さらに、施解錠装置１００と屋外側シリンダー錠とは、同一の合い鍵を共用するものでも、異なる合い鍵をそれぞれに使用するもののいずれであってもよい。本実施の形態では、施解錠装置１００と屋外側シリンダー錠とは、同一の合い鍵（脱着サムターンキー２１）を用いる。なお、説明の都合上、扉を挟む２つの空間を屋内外と称するが、当該２つの空間は、室内外、或いは間仕切り扉の場合の２つの居室空間であっても勿論よい。
【００１６】
本実施の形態による施解錠装置１００が取付けられる図示しない扉には錠箱が設けられ、錠箱はラッチボルト、デッドボルト、及びこれらを扉の木口から進退させる錠箱機構部を内設している。錠箱のデッドボルトは、扉の屋外側の面に設けた屋外側シリンダー錠を合い鍵によって、又は扉の屋内側の面に設けられた施解錠装置１００を脱着サムターンキーによって回動することで、扉の木口から進退可能となっている。
【００１７】
本実施の形態による施解錠装置１００は、サムターン筒１１と、コア軸１３と、プラグ１５と、内筒１７と、開閉脚１９と、脱着サムターンキー２１とを主要な構成部材として有している。
【００１８】
サムターン筒１１は、内部に軸線方向に貫通する収容空間２３を有し、この収容空間２３を挟んで一対の固定ビス挿通穴２５，２５が軸線方向に貫通されている。サムターン筒１１の屋内側には、収容空間２３を横断して軸線直交方向で貫通する一対の垂直穴２７，２７が穿設されている。それぞれの垂直穴２７，２７には、押し玉２９、クリックバネ３１、押さえ片３３が順次挿入されている。押し玉２９は、垂直穴２７内方の小径部３５によって飛び出しが防止されている。押さえ片３３は、サムターン筒１１の外周に被着される化粧筒３７等によって飛び出しが規制される。したがって、押し玉２９は、クリックバネ３１の付勢力によってその一部を、収容空間２３内に後退自在に突出させている。
【００１９】
サムターン筒１１は、化粧筒３７が外周に被着された状態で、屋内側から一対の固定ボルトにより図示しない錠箱へ螺着される。化粧筒３７及びサムターン筒１１には収容空間２３を屋内側へ開口させる開口穴３９ａ，３９ｂがそれぞれ設けられ、この開口穴３９ａ，３９ｂには脱着サムターンキー２１が進入する。脱着サムターンキー２１の摘み基部には周溝４１が形成され、脱着サムターンキー２１は開口穴３９ａ，３９ｂに挿入されることで押し玉２９が周溝４１に嵌入してクリック感を生じさせながら挿抜可能となっており、すなわち挿着時には、押し玉２９にて回転自在となって支持される。
【００２０】
サムターン筒１１の内部には、軸線直交面と平行な座面が形成され、この座面には円周方向９０°の間隔を有して錠箱側へ突出する４つの台形突起４３，４３，４３，４３が設けられている。
【００２１】
サムターン筒１１にはコア軸１３が回転自在に内設され、コア軸１３は不図示の錠箱の入出力軸に相対回転不能に連結される。サムターン筒１１の収容空間２３にはコア軸１３の屋内側にプラグ１５が収容され、プラグ１５の一端面は上記した開口穴３９ａ，３９ｂに表出される。この開口穴３９ａ，３９ｂに表出するプラグ１５の一端面には上記脱着サムターンキー２１が挿入される略矩形状の鍵穴４５が開口されている。
【００２２】
プラグ１５には複数、本実施の形態では３個のタンブラー４７ａ，４７ｂ，４７ｃが直径方向に移動自在に内蔵される。それぞれのタンブラー４７ａ〜４７ｃには、移動方向に直交する突起４９が突設され、タンブラー４７ａ〜４７ｃはこの突起４９がコイルバネ５１によって付勢されることで、プラグ１５の半径方向外側へ突出する。
【００２３】
プラグ１５とコア軸１３との間には係合リング５３が介在する。係合リング５３は、内径に、直径方向両側に、切り込んだ切欠５５，５５が形成され、この切欠５５，５５には脱着サムターンキー２１の先端が挿入される。また、係合リング５３の外周には直径方向外側に突出した一対の凸片５７，５７が突設され、この凸片５７，５７はコア軸１３の後端面に形成された一対の切欠５９，５９に嵌入する。つまり、プラグ１５の鍵穴４５より挿入された脱着サムターンキー２１は、キー先端が係合リング５３の切欠５９，５９に進入し、脱着サムターンキー２１の回転操作によって係合リング５３を介してコア軸１３を回転可能としている。
【００２４】
内筒１７は、サムターン筒１１に回転自在かつ軸線方向に移動自在に内設される。内筒１７の後端側には円周方向９０°の間隔で台形切欠部６１が形成され、台形切欠部６１は上記したサムターン筒１１の台形突起４３に係合して内筒１７の回転を阻止するように働く。つまり、内筒１７は、軸線方向一方（屋内側方向）の移動位置で、サムターン筒１１に相対回転不能に係止する。内筒１７には円周方向９０°の間隔で上記したプラグ１５の外周から突出したタンブラー４７ａ〜４７ｃが係合する係合穴６３が穿設されている。また、内筒１７には円周方向９０°の間隔で一対の斜辺６５ａ，６５ｂを有するベース板形状（略五角形状）の係合穴６５が形成されている。
【００２５】
コア軸１３には一対の脚部材１９ａ，１９ｂからなる開閉脚１９が開閉脚収容凹部６７に内設され、開閉脚１９はコア軸１３と一体回転され、例えば錠箱からの回転力によって一体回転となる。コア軸１３には軸線方向のピン収容穴６９が形成され、ピン収容穴６９には押しピン７１，付勢バネ７３，抜け止めピン７５が順次挿入されるとともに、押しピン７１と付勢バネ７３との間に脚部材１９ａ，１９ｂの内端８０，８０を介設配置する。この脚部材１９ａ，１９ｂの内端８０，８０は、それぞれ略半球形状に形成されて幅方向に重ね合わされて、押しピン７１と付勢バネ７３との間に位置している。抜け止めピン７５は、コア軸１３を直径方向に嵌入される固定ピン７７によって抜け止めされる。
【００２６】
押しピン７１と開閉脚１９の内端８０とは、付勢バネ７３の付勢力によって屋内側（図１，６中左側）へと付勢される。押しピン７１とともに内端８０が屋内方向に付勢された開閉脚１９は、揺動軸７９を介して揺動され、外端である凸部８１，８１が内筒１７の係合穴６５に進入する。この開閉脚１９は、通常時、内端８０，８０が屋内側に付勢されていることで外端の凸部８１，８１が内筒１７の係合穴６５に進入状態となるが、脱着サムターンキー２１が挿入されると、キー先端によって押しピン７１が押動されて、これを介して内端８０，８０が付勢バネ７３の付勢力に抗して錠箱側へ押圧され、その結果、凸部８１，８１が係合穴６５と係合解除される。さらに、錠箱側からの回転によってコア軸１３が回動されると、コア軸１３から突出させた凸部８１，８１が係合穴６５の斜辺６５ａ，６５ｂを押圧し、その結果、内筒１７を軸線方向一方から軸線方向他方（錠箱側）へ移動させ、内筒１７とサムターン筒１１との係止を解除するようになっている。
【００２７】
このように、サムターン筒１１には室内側からプラグ１５，係合リング５３，コア軸１３が挿入され、これらとサムターン筒１１との間には内筒１７が介装されている。すなわち二重筒状に構成されている。サムターン筒１１の錠箱側の開口からは、内筒ワッシャー８３，押しバネ８５が挿入され、押しバネ８５はサムターン筒１１の錠箱側開口に固定される底板８７によって脱落が防止されている。内筒ワッシャー８３は、内筒１７の外周に設けられた複数の突起８９に圧接される。つまり、内筒１７は、押しバネ８５によって軸線方向一方（屋内側）に付勢され、台形突起４３と台形切欠部６１とが係合していることで回転が規制されている。
【００２８】
次に、上記の構成を有する施解錠装置１００の作用を説明する。
図７は本発明に係る施解錠装置のキー無し状態の縦断面視を（ａ）、横断面視を（ｂ）に表した動作説明図、図８はキー無し状態のプラグ断面視を（ａ）、キー有り状態のプラグ断面視を（ｂ）に表した動作説明図、図９はキー無し状態における屋外側シリンダーからの回転入力時の動作説明図、図１０は図９に示した内筒のサムターン筒との係合解除過程を（ａ）〜（ｃ）で表した動作説明展開図である。
施解錠装置１００は、通常状態において、図１に示すように、脱着サムターンキー２１がプラグ１５に挿入される。この状態で、図８（ｂ）に示すように、脱着サムターンキー２１は正規のキーであることから、その鍵縁形状（山谷形状）により各タンブラー４７ａ〜４７ｃがプラグ１５の内部に全て後退し、内筒１７との係合が解除される。また、脱着サムターンキー２１の先端が、押しピン７１を介して開閉脚１９の内端８０を付勢バネ７３の付勢力に抗して押圧し、図１（ｂ）に示すように、外端の凸部８１を後退させて開閉脚１９と内筒１７との係合を解除している。これにより、脱着サムターンキー２１が従来のサムターンとして働く。
【００２９】
したがって、屋外側では、屋外側シリンダー錠に合い鍵を挿入することで、錠箱の施解錠が可能になる。この際、施解錠装置１００に差し込まれた脱着サムターンキー２１も、コア軸１３，係合リング５３を介して連動回転することとなる。また、屋内側からは、脱着サムターンキー２１を回動することで、従来のサムターンと同様に、屋外側シリンダー錠に合い鍵が挿入されているか否かにかかわらず、錠箱による施解錠操作が可能となる。なお、脱着サムターンキー２１は、周溝４１に押し玉２９が係合していることで、容易に脱落することなく、容易に回転可能となる。
【００３０】
一方、図７に示すように、外出時等に、施解錠装置１００から脱着サムターンキー２１が抜かれると、図８（ａ）に示すように、タンブラー４７ａ〜４７ｃがプラグ１５から突出して内筒１７の係合穴６３に係合する。つまり、プラグ１５と内筒１７との相対回転が不能となる。屋外側シリンダー錠に脱着サムターンキー２１が差し込まれた状態において、屋外側より脱着サムターンキー２１が回転操作されると、図９に示すように、この回転操作力が錠箱の入出力軸を介してコア軸１３に伝達される。
【００３１】
コア軸１３が回転されると、図１０（ａ）に示すように、開閉脚１９の凸部８１が係合穴６５の斜辺６５ｂを押圧し、その結果、内筒１７が錠箱側（図１０の右側）へ移動される。これにより、図１０（ｂ）に示すように、サムターン筒１１の台形突起４３と、内筒１７の台形切欠部６１との係合が解除され、さらにコア軸１３が回転されることで、図１０（ｃ）に示すように、内筒１７が、プラグ１５，コア軸１３と一体となって回転する。したがって、屋外側のシリンダー錠は、屋内側の施解錠装置１００を従動させながら回転可能となる。
【００３２】
このように、上記の施解錠装置１００によれば、脱着サムターンキー２１が抜かれている状態であっても、屋外側のシリンダー錠に合い鍵が差し込まれて回転操作されると、この回転操作力が錠箱の入出力軸を介してコア軸１３に伝達され、コア軸１３に一体となって開閉脚１９が回転することで、この開閉脚１９の凸部８１を介して内筒１７を軸線方向一方から軸線方向他方（錠箱側）へ移動させ内筒１７とサムターン筒１１との係止を解除する。
【００３３】
施解錠装置１００は、連動するプラグ１５に伴って矩形状の鍵穴４５が回転するので、この鍵穴４５の回転姿勢を目視することで、錠箱の施解錠状態を容易に知ることができる。これにより、クラッチ機構を設けずに、脱着サムターンキー２１の抜かれた施解錠装置１００を屋外側のシリンダー錠の回動操作に連動させながら、錠箱の施解錠を可能にできる。この結果、施解錠装置のコスト低減と、操作性の向上を達成できるとともに、サムターン筒１１と内筒１７、内筒１７とプラグ１５との略二重筒構造として構成したので、装置軸線方向の長さの短縮化を同時に達成できる。
【００３４】
また、脱着サムターンキー２１を、屋外側のシリンダー錠キーと同一とすることで、１つの合鍵で施錠と同時に防犯性が確保されるようになり、操作性を向上させることができる。
【図面の簡単な説明】
【００３５】
【図１】本発明に係る施解錠装置のキー有り状態の縦断面視を（ａ）、横断面視を（ｂ）に表した構成図である。
【図２】本発明に係る施解錠装置のキー無し状態の縦断面視を（ａ）、正面視を（ｂ）に表した構成図である。
【図３】本発明に係る施解錠装置の分解縦断面図である。
【図４】本発明に係る施解錠装置の分解横断面図である。
【図５】サムターン筒、内筒、プラグ及びその近傍の分解斜視図である。
【図６】コア軸、開閉脚及びその近傍の分解斜視図である。
【図７】本発明に係る施解錠装置のキー無し状態の縦断面視を（ａ）、横断面視を（ｂ）に表した動作説明図である。
【図８】キー無し状態のプラグ断面視を（ａ）、キー有り状態のプラグ断面視を（ｂ）に表した動作説明図である。
【図９】キー無し状態における屋外側シリンダーからの回転入力時の動作説明図である。
【図１０】図９に示した内筒のサムターン筒との係合解除過程を（ａ）〜（ｃ）で表した動作説明展開図である。
【符号の説明】
【００３６】
１１…サムターン筒
１３…コア軸
１５…プラグ
１７…内筒
１９…開閉脚
２１…脱着サムターンキー
４５…鍵穴
４７ａ〜４７ｃ…タンブラー
８１…凸部
１００…施解錠装置
【図１】
2006118211.tif 000003
【図２】
2006118211.tif 000004
【図３】
2006118211.tif 000005
【図４】
2006118211.tif 000006
【図５】
2006118211.tif 000007
【図６】
2006118211.tif 000008
【図７】
2006118211.tif 000009
【図８】
2006118211.tif 000010
【図９】
2006118211.tif 000011
【図１０】
2006118211.tif 000012